(57)【要約】    【構成】  切断防護装置１０では、摩擦材２０をコーティングしたコア１２がボールベアリング１４を介して保護部材１６に対して回転可能である。  この切断防護装置１０を管路などの周りに管路の管軸に平行に埋設し、その地表面をアスファルトなどで舗装する。    【効果】  コンクリートカッタでアスファルトなどを切断する際、誤って切断防護装置１０まで切断しても、保護部材１６が切断されるが、コア１２はコンクリートカッタと同調して回転するため、コンクリートカッタにより切断されない。【選択図】  図１
2005282157.tif 000002
【特許請求の範囲】
【請求項１】
軸受けで回転可能に支持されるコアを備える、埋設物の切断防護装置。
【請求項２】
前記コア外表面に形成されて、コアを回転させる摩擦材を備える、請求項１記載の切断防護装置。
【請求項３】
前記コアと間隔を隔てて設けられる保護部材を備える、請求項１または２記載の切断防護装置。
【請求項４】
前記コアと前記保護部材との間の隙間に注意喚起材を備える、請求項３記載の切断防護装置。
【発明の詳細な説明】
【技術分野】
【０００１】
この発明は、切断防護装置に関し、特にたとえば、車道や歩道などの路面工事などにおいて、コンクリートカッタにより路面を切断する際、道路下に埋設されている管路および管路に収容されるケーブルなどを防護する、切断防護装置に関する。
【背景技術】
【０００２】
従来の切断防護装置の一例が、特許文献１に開示されている。この特許文献１の埋設ケーブル保護部材は、母材となるキャッスタブル材の内部に硬い骨材として硼化チタン粒を分散させた板状体である。この保護部材の上面の凹部に視覚や臭覚による知覚部材が埋設されている。これを埋設ケーブルの上部に沿って隙間なく配設する。
【特許文献１】特開２００３−２７５３号公報［Ｃ０４Ｂ  ３５／６６、Ｆ２７Ｄ  １／１０、Ｈ０２Ｇ  １／０６、９／０２］
【発明の開示】
【発明が解決しようとする課題】
【０００３】
特許文献１の従来技術では、ダイヤモンドの先端を有するコンクリートカッタに対して、セラミックなどの骨材は切断されにくいが、完全に切断されないわけではないので、保護部材はケーブルなどを完全に防護することはできない。
【０００４】
セラミックなどの骨材は高価であり、保護部材のコストが嵩んでしまう。
【０００５】
視覚や臭覚による警告では、コンクリートカッタのオペレータが気づかなかったり、気づいてもそのタイミングがずれてしまったりして、ケーブルなどを切断してしまう恐れがある。
【０００６】
それゆえに、この発明の主たる目的は、コンクリートカッタによる管路およびケーブルなどの切断を未然に防止することができる、切断防護装置を提供することである。
【課題を解決するための手段】
【０００７】
請求項１の発明は、軸受けで回転可能に支持されるコアを備える、埋設物の切断防護装置である。
【０００８】
請求項１の発明では、棒状のコアの両端をボールベアリングなどにそれぞれ圧入し回転可能な切断防護装置を、埋設された管路の周りの土中に、管路と平行に埋設し、これらの上の地表面をコンクリートやアスファルトなどで舗装する。
【０００９】
舗装された路面を工事する際、切断装置、たとえばコンクリートカッタのダイヤモンドを円形基盤の外周に取り付けた回転刃を回転させて、アスファルト層などを切断する。回転刃がアスファルト層より深く、切断防護装置のコアに接触すると、コアは回転刃から回転力を受けて、回転刃の回転に合わせて回る。
【００１０】
コアが回転刃と同調して回転することにより、回転刃のコアに対する相対速度が０（ゼロ）になり、回転刃はコアを切断できない。このため、切断防護装置は回転刃から管路やケーブルなどを防護することができる。
【００１１】
請求項２の発明は、コア外表面に形成されて、コアを回転させる摩擦材を備える、請求項１または２記載の切断防護装置である。
【００１２】
請求項２の発明では、コアの外表面に形成した摩擦材により、回転刃はコア表面を滑ることなく、回転刃の回転力をコアに与えることができる。このため、回転刃がコアに接触するとすばやく、コアは回転刃に同調し回転して、コアは切断されずにすむ。
【００１３】
請求項３の発明は、コアと間隔を隔てて設けられる保護部材を備える、請求項１または２記載の切断防護装置である。
【００１４】
請求項３の発明では、ボールベアリングなどに圧入されたコアを中空管の保護部材内に挿入し、コアをボールベアリングなどにより保護部材に対して回転可能とする。
【００１５】
この切断防護装置を管路の周りに、管路と平行に埋設し、これらの上の地表面をコンクリートやアスファルトなどで舗装する。舗装された路面を切断装置の回転刃で切断する際、回転刃がアスファルト層より深く切断し、切断防護装置に接触すると、回転刃は保護部材を切断し、コアに到る。そして、コアは回転刃から回転力を受けて、回転刃の回転に合わせて回る。
【００１６】
保護部材はコアを土圧から守り、さらに保護部材の両端に蓋をすれば、保護部材内に土や水分などが浸入せず、保護部材はコアの回転を維持することができる。
【００１７】
請求項４の発明は、コアと保護部材との間の隙間に注意喚起材を備える、請求項３記載の切断防護装置である。
【００１８】
請求項４の発明では、コアと保護部材との間に注意喚起材、たとえば視覚や臭覚に訴える警告である発煙剤や臭気物質などを収容する。
【００１９】
コンクリートカッタが保護部材を切断すると、保護部材内の注意喚起材が外へ出て、コンクリートカッタのオペレータにケーブルなどが埋設されていることを知らせる。
【発明の効果】
【００２０】
この発明によれば、コアが回転することにより、コアは切断装置により切断されず、管路などを防護する。
【００２１】
この発明の上述の目的，その他の目的，特徴および利点は、図面を参照して行う以下の実施例の詳細な説明から一層明らかとなろう。
【発明を実施するための最良の形態】
【００２２】
図１に示すこの発明の一実施例である切断防護装置１０は円柱形状のコア１２を有する。コア１２の両端はボールベアリング１４などにそれぞれ圧入され、これらは円筒状の保護部材１６内に包含され、ボールベアリング１４の外側は保護部材１６の内面に接合する。蓋１８はこれらの両端および保護部材１６の両端の外表面を覆う。
【００２３】
コア１２は鋼鉄や軟鉄などの金属で形成され、たとえば、長さＬが３００ｍｍ、径Φ１が１７ｍｍの細長い円柱形状の棒状部材である。その両端をボールベアリング１４内にそれぞれ圧入して、固定する。
【００２４】
ボールベアリング１４が装着される部分を除いたコア１２の外表面にゴムなどの摩擦材２０をコーティングする。
【００２５】
保護部材１６は鋼鉄などの金属、または塩化ビニル樹脂やエンジニアリングプラスチックなどの樹脂で形成される、円筒形状の中空管であり、その長さはコア１２の長さＬと等しく、たとえば、３００ｍｍであり、径Φ２は２６ｍｍである。この中にボールベアリング１４を装着したコア１２は挿入され、ボールベアリング１４の外表面は保護部材１６の内表面に接着される。コア１２はボールベアリング１４を介して保護部材１６に取り付けられているので、コア１２は保護部材１６に対して軸を中心に回転する。
【００２６】
コア１２、ボールベアリング１４および保護部材１６の両端、ならびに保護部材１６の両端の外表面を覆うように蓋１８が設けられる。蓋１８の中心はコア１２の中心と一致し、この内面に三角錐形状の突起２２が形成され、この突起２２はコア１２の中心を支持する。つまり、コア１２と蓋１８とは点接触することにより、コア１２は低摩擦で回転しつつ、蓋１８により軸方向に移動しないように保持される。また、蓋１８は保護部材１６の両端を塞ぎ、内部に土や水などが浸入してコア１２の回転を妨げないようにする。
【００２７】
この切断防護装置１０を図２（Ａ）に示すように、保護する管路２４の上方および側方の３箇所に配置する。上方の切断防護装置１０はコンクリートカッタの落とし込みに対して、右方は管路２４の右側から切断するコンクリートカッタに対して、左方は管路２４の左側から切断するコンクリートカッタに対して、管路２４などを守る。それらは、図２（Ｂ）に示すように、管路２４の管軸に沿って平行に、切断防護装置１０の両端が隣接する切断防護装置１０と重なるように並べられる。このように互い違いに並べて、管軸方向に隙間なく切断防護装置１０を連続させて、コンクリートカッタから管路２４などを守る。そして、これらの上の地表面をコンクリートやアスファルト２８などで舗装する。
【００２８】
管路２４などの配置図から管路２４などのおおまかな配置を知り、管路２４などの管軸に対して垂直に回転させたコンクリートカッタの回転刃２６をアスファルト２８などに落とし込み、垂直方向にアスファルト２８などを切断する。そして、管路２４などの正確な位置を把握してから、管路２４に沿って平行にアスファルト２８などを切断する。このコンクリートカッタを落とし込む際や管軸と垂直方向に切断する際、コンクリートカッタの回転刃２６が切断防護装置１０と接触すると、切断防護装置１０の保護部材１６は切断され、回転刃２６はコア１２に達する。回転刃２６がコア１２の表面の摩擦材２０と接触すると、摩擦材２０により回転刃２６はコア１２表面を滑ることなく、回転刃２６の回転力がコア１２に与えられる。このため、回転刃２６の回転運動はコア１２に伝えられ、コア１２は回転刃２６の回転方向と反対方向に回転し始め、摩擦材２０が切断されている間にコア１２の回転速度は回転刃２６の回転速度に届く。したがって、コア１２は回転刃２６に切断されることなく、回転刃２６と同調して回転する。
【００２９】
また、自走式コンクリートカッタでは、回転刃２６は回転すると共に、前方に進むため、切断防護装置１０は回転刃２６から回転力以外に回転刃２６の進行方向の圧力を加えられる。この圧力はコア１２からボールベアリング１４を介して保護部材１６内面に作用し、土中に埋設される保護部材１６はこれを支える。
【００３０】
このように、コア１２が回転刃２６と同調して回転することにより、回転刃２６のコア１２に対する相対速度が０になり、回転刃２６はコア１２を切断できず、切断防護装置１０は回転刃２６から管路２４やケーブルなどを防護することができる。
【００３１】
コア１２の外表面に形成した摩擦材２０により、回転刃２６はコア１２表面を滑ることなく、回転刃２６の回転力をコア１２に与えるため、回転刃２６がコア１２に接触するとすばやく、コア１２は回転刃２６に同調し回転して、コア１２は切断されずにすむ。
【００３２】
なお、図１に示すコア１２と保護部材１６との間の隙間３０に注意喚起材、たとえば視覚や臭覚に訴える警告である発煙剤、着色剤または臭気物質などを収容してもよい。
【００３３】
コア１２と保護部材１６との間３０に四塩化スズを含む発煙材を詰める。この切断防護装置１０の保護部材１６をコンクリートカッタが切断すると、保護部材１６内の四塩化スズがコンクリートカッタに使用される水分と反応して白煙を発生する。コンクリートカッタのオペレータはこの白煙からケーブルなどが埋設されていることを知ることができる。
【００３４】
また、コア１２の表面を図３に示す螺旋ネジ形状にしてもよい。回転刃２６がコア１２に接触すると、コア１２が回転し、螺旋状に形成されたネジ山３２が軸方向に移動して回転刃２６の先端を折ったり、回転刃２６を押さえつけて回転刃２６の回転速度を落としたりして、コンクリートカッタの切断能力を低下させることができる。
【００３５】
コア１２の表面に摩擦材２０を形成したが、これを用いなくてもよい。特に、軟鉄のコア１２では、コア１２自身が切断されにくい上、滑りにくいため、摩擦材２０を使用しなくてもコア１２はすばやく回転刃２６に同調することができる。
【００３６】
軸受けにボールベアリング１４を用いたが、含油軸受や潤滑剤で処理されたブッシュなどを用いてもよい。
【００３７】
ボールベアリング１４をコア１２の両端に設けたが、それ以外の部分や３個以上設けてもよい。
【００３８】
蓋１８の中心にコア１２を支持する突起２２を設けたが、蓋１８の内面は平坦にしてコア１２の先端を細くしてもよい。この場合も蓋１８の内面とコア１２の先端とは点接触するため、コア１２が回転する際の蓋１８とコア１２との間の摩擦を小さくし、コア１２の回転を妨げない。
【００３９】
さらに、コア１２に中実管を用いたが、図４に示すように中空管３４を代わりに用いてもよい。中空管３４なら、コア１２の重量が軽くなり、コア１２は回転しやすく、切断されにくくなる。
【図面の簡単な説明】
【００４０】
【図１】この発明の一実施例の切断防護装置を示す断面図である。
【図２】（Ａ）は図１実施例の切断防護装置を埋設した状態を示す横方向断面図であり、（Ｂ）は（Ａ）の縦断面図である。
【図３】この発明の他の実施例の切断防護装置におけるコアの表面を示す部分平面図である。
【図４】この発明のさらに他の実施例の切断防護装置におけるコアを示す断面図である。
【符号の説明】
【００４１】
１０…切断防護装置
１２…コア
１６…保護部材
２０…摩擦材
【図１】
2005282157.tif 000003
【図２】
2005282157.tif 000004
【図３】
2005282157.tif 000005
【図４】
2005282157.tif 000006